(57)【要約】【課題】  電解液槽に陰陽の両電極を遮蔽板で分離した状態で配置し、且つ陰陽の電極を海綿状の表面積が多く取れる構造にして水素及び酸素の発生量を飛躍的に増大させた水の電気分解によるエネルギーを用いた内燃機関及び機関体を提供する。【解決手段】  水の電気分解によるエネルギーを用いた内燃機関は、電解質を加えた水が収納されると共に密封した電解液槽内部に下部側が共通するように絶縁体で形成された遮蔽板を設けて２つの空間を形成し、それぞれの空間に多孔質体或は海綿状に形成された電極を設置し、これら電極のうち一方の電極にプラスの電位、他方の電極にマイナスの電位を印加する電極手段と、前記プラスの電位が印加される電極から発生する水素を取り出す水素取出し手段と、前記水素取出し手段により取出された水素を内燃機関の燃焼室に供給する水素供給手段と、前記水素供給手段により供給された水素を燃焼室で燃焼させる燃焼手段と、を備えたことである。【選択図】  図１
2006194230.tif 000002
【特許請求の範囲】
【請求項１】
電解質を加えた水が収納される電解液槽の底部に装着したヒーター手段と、
該ヒーター手段の上部位置で且つ前記電解質を加えた水に含浸するように陰陽の両電極が適宜間隔を保有させた状態で複数個配列させた電極手段と、
前記電極手段の陰陽の両電極に電圧を印加する直流電源手段と、
前記直流電源手段により前記電極手段の陰陽の両電極に電圧が印加されたときに、該陰陽の両電極から発生する水素と酸素の混合気体を内燃機関の燃焼室に供給する混合気体供給手段と、
前記混合気体供給手段により供給された水素と酸素の混合気体を燃焼室で燃焼させる燃焼手段と、を備えたことを特徴とする水の電気分解によるエネルギーを用いた内燃機関。
【請求項２】
請求項１の水の電気分解によるエネルギーを用いた内燃機関は、更に、
前記電解液槽内に配列されている陰陽の両電極に磁界を印加する磁力手段を備えたことを特徴とする水の電気分解によるエネルギーを用いた内燃機関。
【請求項３】
前記磁力手段は、前記電解液槽の外周或いは内周に添った形状の永久磁石を所定間隔空けて複数個配列したことを特徴とする請求項２に記載の水の電気分解によるエネルギーを用いた内燃機関。
【請求項４】
前記陰陽の両電極の間隔はミリオーダーであることを特徴とする請求項１に記載の水の電気分解によるエネルギーを用いた内燃機関。
【請求項５】
内燃機関による駆動手段を備えた機関体であって、
電解質を加えた水が収納される電解液槽の底部に装着したヒーター手段と、
該ヒーター手段の上部位置で且つ前記電解質を加えた水に含浸するように陰陽の両電極が適宜間隔を保有させた状態で複数個配列させた電極手段と、
前記電極手段の陰陽の両電極に電圧を印加する直流電源手段と、
前記直流電源手段により前記電極手段の陰陽の両電極に電圧が印加されたときに、該陰陽の両電極から発生する水素と酸素の混合気体を内燃機関の燃焼室に供給する混合気体供給手段と、
前記混合気体供給手段により供給された水素と酸素の混合気体を燃焼室で燃焼させる燃焼手段と、を備えた水の電気分解によるエネルギーを用いた内燃機関を搭載したことを特徴とする機関体。
【請求項６】
請求項５の機関体を構成する水の電気分解によるエネルギーを用いた内燃機関は、更に、
前記電解液槽内に配列されている陰陽の両電極に磁界を印加する磁力手段を備えたことを特徴とする機関体。
【請求項７】
前記磁力手段は、前記電解液槽の外周或いは内周に添った形状の永久磁石を所定間隔空けて複数個配列したことを特徴とする請求項６に記載の機関体。
【請求項８】
前記陰陽の両電極の間隔はミリオーダーであることを特徴とする請求項５に記載の機関体。
【請求項９】
電解質を加えた水が収納されると共に密封した電解液槽内部に下部側が共通するように絶縁体で形成された遮蔽板を設けて２つの空間を形成し、それぞれの空間に多孔質体或は海綿状に形成された電極を設置し、これら電極のうち一方の電極にプラスの電位、他方の電極にマイナスの電位を印加する電極手段と、
前記プラスの電位が印加される電極から発生する水素を取り出す水素取出し手段と、
前記水素取出し手段により取出された水素を内燃機関の燃焼室に供給する水素供給手段と、
前記水素供給手段により供給された水素を燃焼室で燃焼させる燃焼手段と、
を備えたことを特徴とする水の電気分解によるエネルギーを用いた内燃機関。
【請求項１０】
前記電極は、鉄部材或はプラチナ部材で形成したことを特徴とする請求項９に記載の水の電気分解によるエネルギーを用いた内燃機関。
【請求項１１】
前記マイナスの電位が印加される電極から発生する酸素を取出す酸素取出し手段を備え、
前記水素供給手段で燃焼室に供給する水素に前記酸素取出し手段で取出した酸素を混合させて前記燃焼室に供給することを特徴とする請求項９に記載の水の電気分解によるエネルギーを用いた内燃機関。
【請求項１２】
内燃機関による駆動手段を備えた機関体であって、
電解質を加えた水が収納されると共に密封した電解液槽内部に下部側が共通するように絶縁体で形成された遮蔽板を設けて２つの空間を形成し、それぞれの空間に多孔質体或は海綿状に形成された電極を設置し、これら電極のうち一方の電極にプラスの電位、他方の電極にマイナスの電位を印加する電極手段と、
前記プラスの電位が印加される電極から発生する水素を取り出す水素取出し手段と、
前記水素取出し手段により取出された水素を内燃機関の燃焼室に供給する水素供給手段と、
前記水素供給手段により供給された水素を燃焼室で燃焼させる燃焼手段と、
を備えた水の電気分解によるエネルギーを用いた内燃機関を搭載したことを特徴とする機関体。
【請求項１３】
前記電極は、鉄部材或はプラチナ部材で形成したことを特徴とする請求項１２に記載の機関体。
【請求項１４】
前記マイナスの電位が印加される電極から発生する酸素を取出す酸素取出し手段を備え、
前記水素供給手段で燃焼室に供給する水素に前記酸素取出し手段で取出した酸素を混合させて前記燃焼室に供給することを特徴とする請求項１２に記載の機関体。
【請求項１５】
電解質を加えた水が収納されると共に密封した電解液槽内部に下部側が共通するように絶縁体で形成された遮蔽板を設けて２つの空間を形成し、それぞれの空間に多孔質体或は海綿状に形成された電極を設置し、これら電極のうち一方の電極にプラスの電位、他方の電極にマイナスの電位を印加する電極手段と、
前記プラスの電位が印加される電極から発生する水素を取り出す水素取出し手段と、
前記マイナスの電位が印加される電極から発生する酸素を取り出す酸素取出し手段と、
前記水素取出し手段により取出された水素と前記酸素取出し手段により取出された酸素とを混合する気体混合部と、
前記気体混合部で混合された水素と酸素の混合気体に所定の液体を通過させることにより所定の圧力をかけて供給する混合気体圧力供給部と、
前記混合気体圧力供給部により圧力のかかった混合気体を内燃機関の燃焼室に供給する混合気体供給手段と、
前記混合気体供給手段により供給された混合気体を燃焼室で燃焼させる燃焼手段と、
を備えたことを特徴とする水の電気分解によるエネルギーを用いた内燃機関。
【請求項１６】
前記混合気体圧力供給部は、液体を収容した第１容器に、間口を液体に浸すようにして容器内部に同一液体を充填させた第２容器を備え、該液体を充填させた第２容器に液体を介して混合気体を供給し、この供給された混合気体を液体を介して一定気圧で取出すようにしたことである請求項１５に記載の水の電気分解によるエネルギーを用いた内燃機関。
【請求項１７】
前記電極は、鉄部材或はプラチナ部材又はステンレス部材で形成したことを特徴とする請求項１５に記載の水の電気分解によるエネルギーを用いた内燃機関。
【請求項１８】
内燃機関による駆動手段を備えた機関体であって、
電解質を加えた水が収納されると共に密封した電解液槽内部に下部側が共通するように絶縁体で形成された遮蔽板を設けて２つの空間を形成し、それぞれの空間に多孔質体或は海綿状に形成された電極を設置し、これら電極のうち一方の電極にプラスの電位、他方の電極にマイナスの電位を印加する電極手段と、
前記プラスの電位が印加される電極から発生する水素を取り出す水素取出し手段と、
前記マイナスの電位が印加される電極から発生する酸素を取り出す酸素取出し手段と、
前記水素取出し手段により取出された水素と前記酸素取出し手段により取出された酸素とを混合する気体混合部と、
前記気体混合部で混合された水素と酸素の混合気体に所定の液体を通過させることにより所定の圧力をかけて供給する混合気体圧力供給部と、
前記混合気体圧力供給部により圧力のかかった混合気体を内燃機関の燃焼室に供給する混合気体供給手段と、
前記混合気体供給手段により供給された混合気体を燃焼室で燃焼させる燃焼手段と、
を備えた水の電気分解によるエネルギーを用いた内燃機関を搭載したことを特徴とする機関体。
【請求項１９】
前記混合気体圧力供給部は、液体を収容した第１容器に、間口を液体に浸すようにして容器内部に同一液体を充填させた第２容器を備え、該液体を充填させた第２容器に液体を介して混合気体を供給し、この供給された混合気体を液体を介して一定気圧で取出すようにしたことである請求項１８に記載の機関体。
【請求項２０】
前記電極は、鉄部材或はプラチナ部材又はステンレス部材で形成したことを特徴とする請求項１８に記載の機関体。
【発明の詳細な説明】
【技術分野】
【０００１】  本発明は、水の電気分解によるエネルギーを用いた内燃機関及び機関体に関し、詳しくは水の電気分解により発生する酸素と水素を貯留することなく直接にエンジンに供給して動力源とする水の電気分解によるエネルギーを用いた内燃機関及びこの内燃機関を備えた機関体に関する。
【背景技術】
【０００２】  従来技術における水の電気分解により酸素と水素を発生させることは周知の事実であり、それはファラデーの電気分解の法則を原理としている。
それは、純粋な水では電気を通さないため、通常水に水酸化ナトリウムなどの電解質を加え、この電解質を加えた水の中に陽極側の電極と陰極側の電極を含浸させる。そうすると水の電気分解が始まる。水の電気分解で電気が流れるということは、電池のマイナス側から電子が流れ出しているということで、この電子は水に浸した陰極側の電極で水に反応して水素が発生する。この水素を貯め、火に近づけるとシュッと音がして爆発する。この反応を化学式で書くと、以下の式１のようになる。
２Ｈ２Ｏ（水）＋２ｅ−（電子）→Ｈ２（水素）＋２ＯＨ−（水酸化イオン）・・・式１【０００３】  もう一方の陽極側の電極では、次に示す式２のような反応がおき、水と酸素と電子が発生し、発生した電子は陽極に渡され、電線を通って電池のプラス極へ流れる。この陽極側の電極で発生した酸素を貯めて火を近づけるとボッと燃える。
２ＯＨ−（水酸化イオン）→Ｈ２Ｏ（水）＋（１／２）Ｏ２（酸素）＋２ｅ−（電子）・・・式２【０００４】これらの式１、式２の反応式を足し合わせたものが次式の電気分解を表す反応式で、左右の辺の同じものが消え、次の式３のように水から水素と酸素ができる。
Ｈ２Ｏ（水）→Ｈ２（水素）＋（１／２）Ｏ２（酸素）・・・式３【０００５】  以上のように、水の中に陰陽の両電極を含浸させ、プラスとマイナスの電気を流すと水が分解して水素と酸素が発生するのである。【０００６】  この原理を利用して、発生させた水素をエンジンの燃料とする手法は種々開示されている。
【特許文献１】特開平１１−２５７２０６号公報（第４頁  第２図）
【発明の開示】
【発明が解決しようとする課題】
【０００７】  しかし、従来技術で説明した、水の電気分解による酸素と水素を発生させる手法を使うとしても、その手法に問題があり、実際にエンジンに供給する量の水素或いは酸素を発生させることができずに実用的でないという問題がある。
従って、ファラデーの電気分解の法則を利用して、有効的に水素と酸素を発生させ、その発生させた水素と酸素を利用して、現存の内燃機関を燃焼させるような構成に解決しなければならない課題を有する。
【課題を解決するための手段】
【０００８】  上記課題を解決するために、本願発明の水の電気分解によるエネルギーを用いた内燃機関及び機関体は、次に示す構成にしたことである。【０００９】（１）水の電気分解によるエネルギーを用いた内燃機関は、電解質を加えた水が収納される電解液槽の底部に装着したヒーター手段と、該ヒーター手段の上部位置で且つ前記電解質を加えた水に含浸するように陰陽の両電極が適宜間隔を保有させた状態で複数個配列させた電極手段と、前記電極手段の陰陽の両電極に電圧を印加する直流電源手段と、前記直流電源手段により前記電極手段の陰陽の両電極に電圧が印加されたときに、該陰陽の両電極から発生する水素と酸素の混合気体を内燃機関の燃焼室に供給する混合気体供給手段と、前記混合気体供給手段により供給された水素と酸素の混合気体を燃焼室で燃焼させる燃焼手段と、を備えたことである。
（２）（１）の水の電気分解によるエネルギーを用いた内燃機関は、更に、前記電解液槽内に配列されている陰陽の両電極に磁界を印加する磁力手段を備えたことを特徴とする水の電気分解によるエネルギーを用いた内燃機関。
（３）前記磁力手段は、前記電解液槽の外周或いは内周に添った形状の永久磁石を所定間隔空けて複数個配列したことを特徴とする（２）に記載の水の電気分解によるエネルギーを用いた内燃機関。
（４）前記陰陽の両電極の間隔はミリオーダーであることを特徴とする（１）に記載の水の電気分解によるエネルギーを用いた内燃機関。【００１０】（５）機関体は、内燃機関による駆動手段を備えた機関体であって、電解質を加えた水が収納される電解液槽の底部に装着したヒーター手段と、該ヒーター手段の上部位置で且つ前記電解質を加えた水に含浸するように陰陽の両電極が適宜間隔を保有させた状態で複数個配列させた電極手段と、前記電極手段の陰陽の両電極に電圧を印加する直流電源手段と、前記直流電源手段により前記電極手段の陰陽の両電極に電圧が印加されたときに、該陰陽の両電極から発生する水素と酸素の混合気体を内燃機関の燃焼室に供給する混合気体供給手段と、前記混合気体供給手段により供給された水素と酸素の混合気体を燃焼室で燃焼させる燃焼手段と、を備えた水の電気分解によるエネルギーを用いた内燃機関を搭載したことである。
（６）（５）の機関体を構成する水の電気分解によるエネルギーを用いた内燃機関は、更に、前記電解液槽内に配列されている陰陽の両電極に磁界を印加する磁力手段を備えたことを特徴とする機関体。
（７）前記磁力手段は、前記電解液槽の外周或いは内周に添った形状の永久磁石を所定間隔空けて複数個配列したことを特徴とする（６）に記載の機関体。
（８）前記陰陽の両電極の間隔はミリオーダーであることを特徴とする（５）に記載の機関体。【００１１】（９）水の電気分解によるエネルギーを用いた内燃機関は、電解質を加えた水が収納されると共に密封した電解液槽内部に下部側が共通するように絶縁体で形成された遮蔽板を設けて２つの空間を形成し、それぞれの空間に多孔質体或は海綿状に形成された電極を設置し、これら電極のうち一方の電極にプラスの電位、他方の電極にマイナスの電位を印加する電極手段と、前記プラスの電位が印加される電極から発生する水素を取り出す水素取出し手段と、前記水素取出し手段により取出された水素を内燃機関の燃焼室に供給する水素供給手段と、前記水素供給手段により供給された水素を燃焼室で燃焼させる燃焼手段と、を備えたことである。
（１０）前記電極は、鉄部材或はプラチナ部材で形成したことを特徴とする（９）に記載の水の電気分解によるエネルギーを用いた内燃機関。
（１１）前記マイナスの電位が印加される電極から発生する酸素を取出す酸素取出し手段を備え、前記水素供給手段で燃焼室に供給する水素に前記酸素取出し手段で取出した酸素を混合させて前記燃焼室に供給することを特徴とする（９）に記載の水の電気分解によるエネルギーを用いた内燃機関。【００１２】（１２）機関体は、内燃機関による駆動手段を備えた機関体であって、電解質を加えた水が収納されると共に密封した電解液槽内部に下部側が共通するように絶縁体で形成された遮蔽板を設けて２つの空間を形成し、それぞれの空間に多孔質体或は海綿状に形成された電極を設置し、これら電極のうち一方の電極にプラスの電位、他方の電極にマイナスの電位を印加する電極手段と、前記プラスの電位が印加される電極から発生する水素を取り出す水素取出し手段と、前記水素取出し手段により取出された水素を内燃機関の燃焼室に供給する水素供給手段と、前記水素供給手段により供給された水素を燃焼室で燃焼させる燃焼手段と、を備えた水の電気分解によるエネルギーを用いた内燃機関を搭載したことを特徴とする機関体。
（１３）前記電極は、鉄部材或はプラチナ部材で形成したことを特徴とする（１２）に記載の機関体。
（１４）前記マイナスの電位が印加される電極から発生する酸素を取出す酸素取出し手段を備え、前記水素供給手段で燃焼室に供給する水素に前記酸素取出し手段で取出した酸素を混合させて前記燃焼室に供給することを特徴とする（１２）に記載の機関体。【００１３】（１５）水の電気分解によるエネルギーを用いた内燃機関は、電解質を加えた水が収納されると共に密封した電解液槽内部に下部側が共通するように絶縁体で形成された遮蔽板を設けて２つの空間を形成し、それぞれの空間に多孔質体或は海綿状に形成された電極を設置し、これら電極のうち一方の電極にプラスの電位、他方の電極にマイナスの電位を印加する電極手段と、前記プラスの電位が印加される電極から発生する水素を取り出す水素取出し手段と、前記マイナスの電位が印加される電極から発生する酸素を取り出す酸素取出し手段と、前記水素取出し手段により取出された水素と前記酸素取出し手段により取出された酸素とを混合する気体混合部と、前記気体混合部で混合された水素と酸素の混合気体に所定の液体を通過させることにより所定の圧力をかけて供給する混合気体圧力供給部と、前記混合気体圧力供給部により圧力のかかった混合気体を内燃機関の燃焼室に供給する混合気体供給手段と、前記混合気体供給手段により供給された混合気体を燃焼室で燃焼させる燃焼手段と、を備えたことである。
（１６）前記混合気体圧力供給部は、液体を収容した第１容器に、間口を液体に浸すようにして容器内部に同一液体を充填させた第２容器を備え、該液体を充填させた第２容器に液体を介して混合気体を供給し、この供給された混合気体を液体を介して一定気圧で取出すようにしたことである（１５）に記載の水の電気分解によるエネルギーを用いた内燃機関。
（１７）前記電極は、鉄部材或はプラチナ部材又はステンレス部材で形成したことを特徴とする（１５）に記載の水の電気分解によるエネルギーを用いた内燃機関。【００１４】（１８）機関体は、内燃機関による駆動手段を備えた機関体であって、電解質を加えた水が収納されると共に密封した電解液槽内部に下部側が共通するように絶縁体で形成された遮蔽板を設けて２つの空間を形成し、それぞれの空間に多孔質体或は海綿状に形成された電極を設置し、これら電極のうち一方の電極にプラスの電位、他方の電極にマイナスの電位を印加する電極手段と、前記プラスの電位が印加される電極から発生する水素を取り出す水素取出し手段と、前記マイナスの電位が印加される電極から発生する酸素を取り出す酸素取出し手段と、前記水素取出し手段により取出された水素と前記酸素取出し手段により取出された酸素とを混合する気体混合部と、前記気体混合部で混合された水素と酸素の混合気体に所定の液体を通過させることにより所定の圧力をかけて供給する混合気体圧力供給部と、前記混合気体圧力供給部により圧力のかかった混合気体を内燃機関の燃焼室に供給する混合気体供給手段と、前記混合気体供給手段により供給された混合気体を燃焼室で燃焼させる燃焼手段と、を備えた水の電気分解によるエネルギーを用いた内燃機関を搭載したことである。
（１９）前記混合気体圧力供給部は、液体を収容した第１容器に、間口を液体に浸すようにして容器内部に同一液体を充填させた第２容器を備え、該液体を充填させた第２容器に液体を介して混合気体を供給し、この供給された混合気体を液体を介して一定気圧で取出すようにしたことである（１８）に記載の機関体。
（２０）前記電極は、鉄部材或はプラチナ部材又はステンレス部材で形成したことを特徴とする（１８）に記載の機関体。
【発明の効果】
【００１５】  本提案によれば、電解液槽内部にヒーター手段を装着することで、水を一定の温度に上昇させることで水の分子を活発化させた状態で電気分解を行うことで水素と酸素の発生効率が飛躍的に向上する。
又、電解質を加えた水を収納する電解液槽を密封させ、その内部に遮蔽板で分離されたプラスとマイナスの電極を多孔質体或は海綿状に形成して表面積をできる限り多く取る構造にすることで、水素と酸素の発生量を飛躍的に向上させることができる。
【発明を実施するための最良の形態】
【００１６】  次に、本願発明に係る水の電気分解によるエネルギーを用いた内燃機関及び機関体の実施形態について、図面を参照して以下説明する。
【実施例１】
【００１７】  本願発明の第１の実施例にあたる水の電気分解によるエネルギーを用いた内燃機関を搭載した機関体１０は、図１に示すように、従来技術で説明したファラデーの電気分解の法則を利用して水素と酸素を発生させ、その発生した水素と酸素を燃焼室に供給することで爆発させる内燃機関を備えた構成になっている。
その構成は、電解液槽１１内に配列されている陰陽の両電極１２、１３に磁界を印加する磁力手段１４と、電解質を加えた水１５が収納される電解液槽１１の底部に装着したヒーター手段１６と、このヒーター手段１６の上部位置で且つ電解質を加えた水１１に含浸するように陰陽の両電極１２、１３が適宜間隔を保有させた状態で複数個配列させた電極手段１７と、この電極手段１７の陰陽の両電極１２、１３に電圧を印加する直流電源手段１８と、直流電源手段１８により電極手段１７の陰陽の両電極１２、１３に電圧が印加されたときに、この陰陽の両電極１２、１３から発生する水素と酸素の混合気体を内燃機関２２のピストン２３を備えた燃焼室１９に供給する混合気体供給手段２３と、この混合気体供給手段２３により供給された水素と酸素の混合気体を燃焼室１９で燃焼させる燃焼手段２０と、を備えた構成になっている。
磁力手段１４は、電解液槽１１の外周或いは内周（実施例では外周）に添った形状の永久磁石２１を所定間隔空けて複数個配列した構成になっている。このように所定間隔を空けて配列すると、一つ一つの永久磁石２１での磁界が得られ電解液槽１１内の電解質を含んだ水１５が流体運動をおこし、電極１２、１３からの分解電流に対する気体発生量を増大させることができるのである。即ち、従来のように一つの筒形状の永久磁石を電解液槽１１の外周に添って配置した構成であると、筒形状の端部から発生する磁界を使用することになり、筒の中間位置からの磁界は極めて少ないものであることから電極への作用が極めて少ないものである。この欠点を本願発明の如く分離して複数の永久磁石を配列する構成にするとそれぞれの永久磁石が磁界を発生させることで、電解液槽内部の全てに磁界を発生させることができるのである。
尚、実施例においては磁力手段１４を取り付けない構成でもよい。
電解質を含んだ水１５は、純水以外の水であればよく、電解質として水酸化ナトリウム、あるいは通常の水道水でもよい。
陰陽の両電極１２、１３の間隔はミリオーダーであり、実施例においては４ｍｍ程度の間隔に設定されている。そして、この陰陽の両電極１２、１３は複数個配列されており、その数は限定されない。【００１８】  このような構成からなるも水の電気分解によるエネルギーを用いた内燃機関において、先ず、ヒーター手段１６により、電解質を含んだ水１５を温めることで、水分子を活発化させる。そして、直流電源手段１８から陰陽の両電極１２、１３にプラスとマイナスの電位を供給することで水１５に分解電流が流れ、陰の電極１２から水素が発生し、陽の電極１３から酸素が発生する。これら発生した水素と酸素は混合されて混合気体となり、混合気体供給手段２３により内燃機関２２に送られる。内燃機関２２においては、この混合気体を燃焼室１９に送り、図示しない発火手段により引火して爆発をさせピストン２３を動かすことで、図示しない動力源として働く。
このようにして、動力源として機能すれば、その機構により直流電源手段１８への充電や、機関体１０を所望の位置に移動するための車両の駆動等、所謂、自動車として活用することができるのである。
機関体１０は、上記説明したように、内燃機関が搭載できるものであればよく、例えば、自動車、二輪車、船舶、内燃機関を搭載した機材、例えば、芝刈り機、チェーンソー等の全てに適応できる。
【実施例２】
【００１９】  次に、第２の実施例の水の電気分解によるエネルギーを用いた内燃機関を搭載した機関体について図２を参照にして説明する。【００２０】  本願発明の第２の実施例にあたる水の電気分解によるエネルギーを用いた内燃機関を搭載した機関体３０は、第１の実施例と同様に、従来技術で説明したファラデーの電気分解の法則を利用して水素と酸素を発生させ、その発生した水素と酸素を燃焼室に供給することで爆発させる内燃機関を備えた構成になっている。
その機関体３０の構成は、図２に示すように、電解質を含んだ水３１が収納されると共に密封した電解液槽３２内部に下部側が共通するように絶縁体で形成された遮蔽板３３を設けて２つの空間を形成し、それぞれの空間に多孔質体或は海綿状に形成された陰陽の電極３４、３５を設置し、これら陰陽の電極３４、３５のうち一方の陽の電極３４にプラスの電位、他方の陰の電極３５にマイナスの電位を印加する電極手段３６と、プラスの電位が印加される陽の電極３４から発生する水素を取り出す水素取出し手段３７と、水素取出し手段３７により取出された水素を内燃機関３８の燃焼室３９に供給する水素供給手段４０と、水素供給手段４０により供給された水素を燃焼室３９で燃焼させる燃焼手段４１と、マイナスの電位が印加される陰の電極３５から発生する酸素を取出す酸素取出し手段４２と、水素供給手段４０で燃焼室３９に供給する水素に酸素取出し手段４２で取出した酸素を混合させて燃焼室３９に供給する気体混合部４４とを備えている。【００２１】  電解液槽３２は密封したため、発生する水素及び酸素は大気圧に対して加圧されるため、その圧力は強いものになる。この電解液槽３２には水を補給するための水補給口４７が設けてあり、純水以外の例えば水道水を適宜補給するようになっている。【００２２】  電解質を含んだ水３１は、純水以外の水であればよく、電解質として水酸化ナトリウム、あるいは通常の水道水でもよい。【００２３】  陰陽の電極３４、３５は、鉄部材或はプラチナ部材或はステンレス部材で形成され、前述したように、表面積が多くなるように、多孔質体或は海綿状に形成されており、実施例においては鉄製の綿状を圧縮して固体状にしたものが使用されている。【００２４】  遮蔽板３３は、絶縁体であり、陰陽の電極３４、３５を分離させるために使用され、遮蔽体３３の下部位置の共通の空間の水を介して電気が流れる。【００２５】  水素取出し手段３７により取出された水素は水を収納してある筒体からなる水素ダンパー４５に供給される。この水素ダンパー４５は水素の逆流を防止するものである。
酸素取出し手段４２により取出された酸素は、水を収納してある筒体からなる酸素ダンパー４６に供給される。この酸素ダンパー４６は酸素の逆流を防止するものである。【００２６】  水素ダンパー４５を通過した水素と、酸素ダンパー４６を通過した酸素は気体混合部４４で混合され内燃機関３８の燃焼室３９に送られ燃焼し、ピストン４３を駆動させる。【００２７】  以上のような構成において、第１実施例で示した磁気手段やヒータ手段を適宜加えてもよいことは勿論のことである。
【実施例３】
【００２８】  次に、第３の実施例の水の電気分解によるエネルギーを用いた内燃機関を搭載した機関体について図３を参照にして説明する。【００２９】  本願発明の第３の実施例にあたる水の電気分解によるエネルギーを用いた内燃機関を搭載した機関体は、第１の実施例と同様に、従来技術で説明したファラデーの電気分解の法則を利用して水素と酸素を発生させ、その発生した水素と酸素を燃焼室に供給することで爆発させる内燃機関を備えた構成になっている。
その機関体３０の構成は、図３に示すように、電解質を加えた水３１が収納されると共に密封した電解液槽３２内部に下部側が共通するように絶縁体で形成された遮蔽板３３を設けて２つの空間を形成し、それぞれの空間に多孔質体或は海綿状に形成された電極３４、３５を設置し、これら電極のうち一方の電極（陽の電極）３４にプラスの電位、他方の電極（陰の電極）３５にマイナスの電位を印加する電極手段３６と、プラスの電位が印加される陽の電極３４から発生する水素を取り出す水素取出し手段３７と、マイナスの電位が印加される陰の電極３５から発生する酸素を取り出す酸素取出し手段４２と、水素取出し手段３７により取出された水素と酸素取出し手段４２により取出された酸素とを混合する気体混合部４４と、気体混合部４４で混合された水素と酸素の混合気体に所定の液体（実施例では水）を通過させることにより所定の圧力をかけて供給する混合気体圧力供給部５０と、混合気体圧力供給部５０により圧力のかかった混合気体を内燃機関３８の燃焼室３９に供給する混合気体供給手段５１と、混合気体供給手段５１により供給された混合気体を燃焼室３９で燃焼させる燃焼手段４１と、を備えた水の電気分解によるエネルギーを用いた内燃機関を搭載した構成になっている。【００３０】  混合気体圧力供給部５０は、液体（実施例では水）を収容した第１容器５２に、間口を液体に浸すようにして容器内部に同一液体を充填させた第２容器５３を備え、この液体を充填させた第２容器５３に液体を介して気体混合部４４からの混合気体を供給し、この供給された混合気体を第２容器５３で受け止めて貯留する。そして、混合気体供給手段５１において、第２容器５３で貯留されている混合気体を液体を介して一定気圧で取出して内燃機関３８に送ることで燃焼し、ピストン４３を駆動させることができる。この混合気体供給手段５１には、逆止弁５６が取り付けられており、混合気体の逆流を防止する構造になっている。
陰陽の電極３４、３５は、鉄部材或はプラチナ部材又はステンレス部材で形成し、表面積が多くなるように、多孔質体或は海綿状に形成されており、実施例においては鉄製の綿状を圧縮して固体状にしたものが使用されている。【００３１】  又、第２容器５３には、上部位置に上部水位センサ５４を備え、この上部水位センサ５４よりも下部位置に下部水位センサ５５が取り付けられている。上部水位センサ５４が第２容器５３に収容されている水の量を検出するもので、この上部水位センサ５４がオンであれば、電解液槽３２での電気分解を続行させる。下部水位センサ５５がオンすると、電解液槽３２で発生する水素と酸素の量が多くなりすぎたことを示し、電解液槽３２での電気分解を一時中止あるいは停止させるようにして電気分解を制御する構成になっている。。
【産業上の利用可能性】
【００３２】  電解液槽に陰陽の両電極を電気的に配置し、その底部にヒーター手段を備えた構成にすることで、電解質を含んだ水の分子を活性化させた状態で電気分解ができる水の電気分解によるエネルギーを用いた内燃機関及び機関体を提供する。
又、陰陽の電極を電解液槽内において絶縁体の遮蔽板で分離した状態にして且つ電極を表面積が多くなるように海綿状にすることで、水素、酸素の発生量を飛躍的に多くすることができる水の電気分解によるエネルギーを用いた内燃機関及び機関体を提供する。
【図面の簡単な説明】
【００３３】
【図１】  本願発明の第１実施例の水の電気分解によるエネルギーを用いた内燃機関を備えた機関体を示した説明図である。
【図２】  本願発明の第２実施例の水の電気分解によるエネルギーを用いた内燃機関を備えた機関体を示した説明図である。
【図３】  本願発明の第３実施例の水の電気分解によるエネルギーを用いた内燃機関を備えた機関体を示した説明図である。
【符号の説明】
【００３４】１０；機関体、１１；電解液槽、１２；陰の電極、１３；陽の電極、１４；磁力手段、１５；電解質を含んだ水、１６；ヒーター手段、１７；電極手段、１８；直流電源手段、１９；燃焼室、２０；燃焼手段、２１；永久磁石、２２；内燃機関、２３；混合気体供給手段、３０；機関体、３１；電解質を含んだ水、３２；電解液槽、３３；遮蔽板、３４；陽の電極、３５；陰の電極、３６；電極手段、３７；水素取出し手段、３８；内燃機関、３９；燃焼室、４０；水素供給手段、４１；燃焼手段、４２；酸素取出し手段、４３；ピストン、４４；気体混合部、４５；水素ダンパー、４６；酸素ダンパー、４７；水補給口、５０；混合気体圧力供給部、５１；混合気体供給手段、５２；第１容器、５３；第２容器、５４；上部水位センサ、５５；下部水位センサ、５６；逆止弁。
【図１】
2006194230.tif 000003
【図２】
2006194230.tif 000004
【図３】
2006194230.tif 000005